(57)【特許請求の範囲】
【請求項１】
数値の入力を受け付けるための数値入力画面を表示するとともに、入力された数値である入力数値を前記数値入力画面内に表示する表示部と、
前記表示部に対して設けられ、前記表示部の画面に対するタッチ操作を受け付けるタッチパネル部と、
前記タッチパネル部の出力に基づき前記タッチパネル部が受け付けたタッチ操作を検知する制御部と、を備え、
前記タッチパネル部は、前記数値入力画面内の所定領域を第１方向と直交する第２方向に沿って分割するようにタッチ位置をスライドさせるタッチ操作を領域分割操作として受け付け、
前記制御部は、前記所定領域の前記第２方向に対向する一対の端辺間において前記第１方向に沿って延びる中間線を予め設定し、前記領域分割操作時のタッチ位置のスライド方向に沿った線と前記中間線との交点を前記第２方向に通過する線、または、前記領域分割操作時のタッチ位置のスライド方向に沿った線と前記所定領域の前記第２方向に対向する一対の端辺のうち一方の端辺との交点を前記第２方向に通過する線、を前記領域分割操作により分割された前記所定領域の分割線として認識し、
前記領域分割操作を前記タッチパネル部が受け付けたとき、
前記制御部は、前記所定領域の予め定められた位置を前記第２方向に通過する線を第１基準線とし、前記所定領域の前記第１基準線と前記第１方向に対向する端辺を第２基準線として、前記第１基準線から前記第２基準線までの距離と前記第１基準線から前記分割線までの距離との比率である入力数値算出用の比率を求めるとともに、前記数値入力画面での数値入力範囲の最大値または最小値に前記入力数値算出用の比率を乗じた数値を前記入力数値として求め、
前記表示部は、前記制御部が求めた前記入力数値を前記数値入力画面内に表示することを特徴とする表示入力装置。
【請求項２】
前記所定領域は、前記入力数値が表示される数値表示領域であることを特徴とする請求項１に記載の表示入力装置。
【請求項３】
前記表示部は、前記所定領域を予め定められた区切り位置で区切り、前記区切り位置を前記第２方向に通過する線に沿って前記所定領域を分割するような前記領域分割操作が行われた場合に前記入力数値とされる数値を目盛として表示することを特徴とする請求項１または２に記載の表示入力装置。
【請求項４】
前記数値入力画面での数値入力範囲が正値から負値に跨らない場合、
前記制御部は、前記所定領域の前記第１方向に対向する両端辺のうち、一方側の端辺を前記第１基準線とし、前記一方側とは反対の他方側の端辺を第２基準線として、前記入力数値を求めることを特徴とする請求項１〜３のいずれか１項に記載の表示入力装置。
【請求項５】
前記数値入力画面での数値入力範囲が正値から負値に跨る場合、
前記制御部は、前記所定領域の前記第１方向に対向する両端辺間の予め定められた位置を前記第２方向に通過する線を前記第１基準線とし、前記所定領域のうち前記第１基準線に対して前記第１方向の一方側で前記領域分割操作が行われた場合には、前記所定領域の前記一方側の端辺を前記第２基準線として前記入力数値算出用の比率を求めるとともに、前記数値入力画面での数値入力範囲の最大の正値に前記入力数値算出用の比率を乗じた数値を前記入力数値として求める一方、前記所定領域のうち前記一方側とは反対の他方側で前記領域分割操作が行われた場合には、前記所定領域の前記他方側の端辺を前記第２基準線として前記入力数値算出用の比率を求めるとともに、前記数値入力画面での数値入力範囲の最小の負値に前記入力数値算出用の比率を乗じた数値を前記入力数値として求めることを特徴とする請求項１〜４のいずれか１項に記載の表示入力装置。
【請求項６】
前記タッチパネル部が前記領域分割操作を受け付け、前記表示部が前記入力数値を前記数値入力画面内に表示してから、所定時間が経過するまでに前記タッチパネル部が前記領域分割操作を再度受け付けたとき、
前記タッチパネル部は、前記所定時間が経過するまでに再度受け付けた前記領域分割操作を数値増減操作として受け付け、
前記制御部は、前記所定領域の前記第１方向に対向する両端辺間の予め定められた位置を前記第２方向に通過する線を第３基準線とし、前記所定領域のうち前記第３基準線に対して前記第１方向の一方側で前記数値増減操作が行われた場合には、前記所定領域の前記一方側の端辺を第４基準線として、前記第３基準線から前記第４基準線までの距離と前記第３基準線から前記数値増減操作により分割された前記所定領域の分割線までの距離との比率である増減値算出用の比率を求めるとともに、所定増減値に前記増減値算出用の比率を乗じた数値分だけ現在表示中の前記入力数値を増加させた数値を増減後の前記入力数値として求める一方、前記所定領域のうち前記一方側とは反対の他方側で前記数値増減操作が行われた場合には、前記所定領域の前記他方側の端辺を前記第４基準線として、前記増減値算出用の比率を求めるとともに、前記増減値算出用の比率を前記所定増減値に乗じた数値分だけ現在表示中の前記入力数値を減少させた数値を増減後の前記入力数値として求め、
前記表示部は、前記制御部が求めた増減後の前記入力数値を現在表示中の前記入力数値に代えて新たに表示することを特徴とする請求項１〜５のいずれか１項に記載の表示入力装置。
【請求項７】
請求項１〜６のいずれか１項に記載の表示入力装置を備えた画像形成装置。
【発明の詳細な説明】
【技術分野】
【０００１】
本発明は、表示入力装置およびそれを備えた画像形成装置に関する。
【背景技術】
【０００２】
従来、表示入力装置として、複合機などの画像形成装置に設置されるタッチパネル付きの表示装置が知られており、たとえば、操作パネルなどと称されている。このような操作パネルは、画像形成装置の動作に関する各種設定項目の設定値を設定変更するための操作を受け付ける（たとえば、特許文献１参照）。
【０００３】
画像形成装置の動作に関する設定項目には、設定値の設定変更に際して数値入力が必要なものがある。一例を挙げると、コピー部数やコピー倍率を設定変更するときに数値入力が必要となる。そこで、特許文献１では、数値入力を受け付けるとき、ソフトウェアキーとしてのテンキーを操作パネルに表示させる。これにより、テンキー（ソフトウェアキー）を操作することにより、所望の数値を入力することができる。
【先行技術文献】
【特許文献】
【０００４】
【特許文献１】特開２０１１−１９８１６５号公報
【発明の概要】
【発明が解決しようとする課題】
【０００５】
テンキー（ソフトウェアキー）を表示して数値入力の受け付けを行う操作パネルでは、たとえば、「０」〜「９」の数値キーのうちいずれかに対してタップ操作（指で叩くようなタッチ操作）を行うと、タップした数値キーに対応する数値が入力される。しかし、この構成では、二桁以上の数値を入力する場合、数値キーに対するタップ操作を２回以上行う必要がある。したがって、ユーザーからすると、煩わしく利便性が悪い。
【０００６】
なお、別の例として、数値入力を受け付けるときに、プラスキーおよびマイナスキーを含む数値増減キー（ソフトウェアキー）を表示する操作パネルもある。たとえば、プラスキーに対してタップ操作を１回行うと、入力数値が「１」だけ増加し、マイナスキーに対してタップ操作を１回行うと、入力数値が「１」だけ減少する。しかし、この構成では、入力数値が所望値になるまで、数値増減キーに対するタップ操作を何回も行わなければならない。さらに、入力数値が所望値になるまでに時間がかかる。
【０００７】
本発明は、上記課題を解決するためになされたものであり、数値入力時の操作を減らすことによりユーザーの利便性を向上させることが可能な表示入力装置およびそれを備えた画像形成装置を提供することを目的とする。
【課題を解決するための手段】
【０００８】
上記目的を達成するために、本発明の表示入力装置は、数値の入力を受け付けるための数値入力画面を表示するとともに、入力された数値である入力数値を数値入力画面内に表示する表示部と、表示部に対して設けられ、表示部の画面に対するタッチ操作を受け付けるタッチパネル部と、タッチパネル部の出力に基づきタッチパネル部が受け付けたタッチ操作を検知する制御部と、を備える。そして、数値入力画面内の所定領域を第１方向と直交する第２方向に沿って分割するタッチ操作として予め定められた領域分割操作をタッチパネル部が受け付けたとき、制御部は、所定領域の予め定められた位置を第２方向に通過する線を第１基準線とし、所定領域の第１基準線と第１方向に対向する端辺を第２基準線として、第１基準線から第２基準線までの距離と第１基準線から領域分割操作により分割された所定領域の分割線までの距離との比率である入力数値算出用の比率を求めるとともに、数値入力画面での数値入力範囲の最大値または最小値に入力数値算出用の比率を乗じた数値を入力数値として求める。また、表示部は、制御部が求めた入力数値を数値入力画面内に表示する。
【０００９】
本発明の構成では、数値入力画面での数値入力範囲の最大値または最小値に入力数値算出用の比率（領域分割操作により分割された所定領域の分割線の位置に基づき求められる比率）を乗じた数値が入力数値とされ、その入力数値が数値入力画面内に表示される。したがって、第１基準線から第２基準線までの距離に対する第１基準線から所定領域の分割線までの距離の比率（入力数値算出用の比率）が数値入力画面での数値入力範囲の最大値または最小値に対する所望値（入力したい数値）の比率と一致するよう領域分割操作を行えば、１回の操作だけで、所望値を入力することが可能となる。これにより、数値入力時の操作が減るので、ユーザーの利便性が向上する。
【発明の効果】
【００１０】
本発明では、数値入力時の操作が減るので、ユーザーの利便性が向上する。
【図面の簡単な説明】
【００１１】
【図１】本発明の一実施形態による操作パネルを備える複合機の概略図
【図２】本発明の一実施形態による操作パネルの一例を示した平面図
【図３】本発明の一実施形態による操作パネルを備える複合機のハードウェア構成の一例を示したブロック図
【図４】本発明の一実施形態による操作パネルに表示される数値入力画面の一例を示した図
【図５】本発明の一実施形態による操作パネルに対して行われる領域分割操作（数値を入力するための操作）を説明するための図
【図６】本発明の一実施形態による操作パネルに対して行われる領域分割操作を説明するための図
【図７】本発明の一実施形態による操作パネルに対して行われる領域分割操作を説明するための図
【図８】本発明の一実施形態による操作パネルに対して行われる領域分割操作を説明するための図
【図９】本発明の一実施形態による操作パネルに対して行われる領域分割操作を説明するための図
【図１０】本発明の一実施形態による操作パネルに対して行われる数値増減操作（入力数値を増減するための操作）を説明するための図
【図１１】本発明の一実施形態による操作パネルに対して行われる数値増減操作を説明するための図
【図１２】本発明の一実施形態による操作パネルにおいて数値入力を受け付けるときの制御の流れを説明するためのフローチャート図
【発明を実施するための形態】
【００１２】
本発明の一実施形態について、コピージョブ、プリントジョブおよび送信ジョブなど複数種のジョブの実行が可能な複合機を例にとって説明する。
【００１３】
＜複合機の全体構成＞
図１に示すように、複合機１００（本発明の「画像形成装置」に相当）は、画像読取部１および印刷部２を備える。画像読取部１は、原稿を読み取って画像データを生成する。たとえば、画像読取部１の読み取りによって得られた画像データは、外部機器に送信することができる（送信ジョブ）。
【００１４】
印刷部２は、画像データに基づく画像を用紙Ｐに印刷して出力する。たとえば、印刷部２は、画像読取部１による原稿の読み取りによって得られた画像データに基づく画像を用紙Ｐに印刷して出力する（コピージョブ）。あるいは、印刷部２は、外部機器から送信される画像データに基づく画像を用紙Ｐに印刷して出力する（プリントジョブ）。
【００１５】
印刷部２は、給紙部３、用紙搬送部４、画像形成部５および定着部６で構成される。給紙部３は、ピックアップローラー３１および給紙ローラー対３２を含み、用紙カセット３３に収容された用紙Ｐを用紙搬送路２０に供給する。用紙搬送部４は、複数の搬送ローラー対４１を含み、用紙搬送路２０に沿って用紙Ｐを搬送し、印刷済みの用紙Ｐを排出トレイ４２に排出する。
【００１６】
画像形成部５は、感光体ドラム５１、帯電装置５２、露光装置５３、現像装置５４、転写ローラー５５およびクリーニング装置５６を含む。そして、画像形成部５は、画像データに基づきトナー像を形成し、そのトナー像を用紙Ｐに転写する。定着部６は、加熱ローラー６１および加圧ローラー６２を含み、用紙Ｐに転写されたトナー像を加熱および加圧して定着させる。
【００１７】
また、複合機１００は、図２に示すような操作パネル８を備える。操作パネル８は、複合機１００の正面側（たとえば、図１の破線で示された箇所）に配置される。なお、操作パネル８は、本発明の「表示入力装置」に相当する。
【００１８】
操作パネル８には、操作表示部８１が設けられる。操作表示部８１は、表示部８２およびタッチパネル部８３を含む。表示部８２は、液晶表示パネルや有機ＥＬ表示パネルなどの表示パネルである。タッチパネル部８３は、複数のタッチ位置を同時に検知可能なマルチタッチパネルであり、表示部８２の表示面を覆うように配置される。そして、操作表示部８１は、各種設定を受け付けるためのボタン（ソフトウェアキー）やメッセージなどを表示部８２に表示し、タッチパネル部８３を介して各種設定を受け付ける。なお、操作パネル８には、スタートキー、ストップキー、リセットキーおよびテンキーなど種々のハードキー８４も設けられる。
【００１９】
＜複合機のハードウェア構成＞
図３に示すように、複合機１００は、主制御部１１０を備える。主制御部１１０は、メインＣＰＵ１１１、画像処理部１１２および記憶部１１３を含む。画像処理部１１２は、画像処理専用のＡＳＩＣなどからなり、画像データに対して画像処理（拡大／縮小、濃度変換およびデータ形式変換など）を施す。記憶部１１３は、ＲＯＭおよびＲＡＭなどからなり、制御用のプログラムおよびデータを記憶する。そして、主制御部１１０は、記憶部１１３に記憶されたプログラムおよびデータに基づき、複合機１００の各部の動作を制御する。
【００２０】
具体的には、主制御部１１０は、画像読取部１および印刷部２（給紙部３、用紙搬送部４、画像形成部５および定着部６）と接続される。そして、主制御部１１０は、画像読取部１の読取動作を制御するとともに、印刷部２の印刷動作を制御する。
【００２１】
また、主制御部１１０は、パネル制御部１２０と接続される。パネル制御部１２０は、ＣＰＵ１２１および記憶部１２２を含み、主制御部１１０から指示を受け、操作パネル８の表示動作を制御したり、操作パネル８に対して行われた操作を検知したりする。たとえば、パネル制御部１２０は、表示部８２にボタン（ソフトウェアキー）を表示させ、そのボタンに対してタッチ操作が行われると、タッチパネル部８３の出力に基づきタッチ操作を受けたボタンを検知する。また、パネル制御部１２０は、ハードキー８４を押下する押下操作が行われると、ハードキー８４の押下によりオンオフが切り替わるスイッチの出力に基づき押下操作を受けたハードキー８４を検知する。
【００２２】
また、主制御部１１０は、通信部１３０と接続される。通信部１３０は、外部機器（コンピューター２００やファクシミリ３００）と通信可能に接続される。そして、通信部１３０は、主制御部１１０から指示を受け、外部機器との間で画像データなどの送受信を行う。
【００２３】
＜数値入力画面での数値入力＞
（数値増減ボタンを用いた数値入力）
操作パネル８は、必要に応じて、ユーザーから数値入力を受け付ける。たとえば、コピー倍率を任意の倍率（定形倍率以外の倍率）に設定するときや、原稿読取サイズを任意のサイズ（定型サイズ以外のサイズ）に設定するときには、コピー倍率や原稿読取サイズを数値入力する必要がある。また、外部機器から送信される画像データの最大保持件数を設定するときには、最大保持件数を数値入力する必要がある。また、アドレス帳に登録する宛先に割り当てる識別番号を設定するときには、識別番号を数値入力する必要がる。さらに、複合機１００に省電力モード（スリープモード）が搭載される場合には、省電力モードが働くまでの時間を設定するときに数値入力が必要となる。なお、ここで述べた数値入力の必要な設定項目は一例であり、数値入力の必要な設定項目は他にも多数ある。
【００２４】
数値入力を受け付けるとき、パネル制御部１２０は、図４に示すような数値入力画面９０を表示部８２に表示させる。そして、パネル制御部１２０は、数値入力の受け付けをタッチパネル部８３に行わせる。なお、図４に示す数値入力画面９０は一例であり、画面のレイアウトなどは変更可能である。
【００２５】
数値入力画面９０は、ユーザーが入力した数値（以下、入力数値と称する）を表示するための数値表示領域９１を含む。この数値表示領域９１は、装置正面側から見て左右方向に長い略矩形状とされる。なお、数値表示領域９１は、本発明の「所定領域」に相当する。また、数値表示領域９１の長手方向（左右方向）は本発明の「第１方向」に相当し、数値表示領域９１の長手方向と直交する方向である短手方向は本発明の「第２方向」に相当する。以下の説明では、数値表示領域９１の長手方向（第１方向）をＸ方向と称し、数値表示領域９１の短手方向（第２方向）をＹ方向と称する。
【００２６】
また、数値入力画面９０には、プラスボタンＢ１およびマイナスボタンＢ２を含む数値増減ボタンＮＢが配される。そして、パネル制御部１２０は、タッチパネル部８３の出力に基づき、数値増減ボタンＮＢに対するタップ操作（指で叩くようなタッチ操作）を検知する。
【００２７】
パネル制御部１２０は、プラスボタンＢ１に対してタップ操作が１回行われると、現在表示中の入力数値に「１」を加算した数値を新たな入力数値として表示部８２に表示させ、マイナスボタンＢ２に対してタップ操作が１回行われると、現在表示中の入力数値から「１」を減算した数値を新たな入力数値として表示部８２に表示させる。
【００２８】
（数値増減ボタンを用いない数値入力）
パネル制御部１２０は、表示部８２が数値入力画面９０を表示しているとき、タッチパネル部８３に対して領域分割操作が行われたか否かを検知する。なお、領域分割操作というのは、数値表示領域９１をＹ方向に沿って分割するタッチ操作として予め定められたものである。たとえば、タッチパネル部８３は、図５に示すように、数値表示領域９１をＹ方向に沿って分割するようにタッチ位置をスライドさせるタッチ操作（スライド操作などと称される操作）を領域分割操作として受け付ける。そして、パネル制御部１２０は、タッチパネル部８３に対する領域分割操作を検知すると、領域分割操作により分割された数値表示領域９１の分割比率を求める。
【００２９】
このとき、パネル制御部１２０は、図６に示すように、領域分割操作により分割された数値表示領域９１の分割線ＤＬを識別する。この分割線ＤＬというのは、Ｙ方向に沿った線であり、領域分割操作時のタッチ位置のスライド方向に略一致する線である。なお、図７に示すように、領域分割操作時のタッチ位置のスライド方向（図７中の白抜矢印方向）がＹ方向に対してずれる場合がある。このため、たとえば、パネル制御部１２０は、数値表示領域９１の上下辺間においてＸ方向に沿って延びる中間線ＭＬを予め設定し、領域分割操作時のタッチ位置のスライド方向に沿った線と中間線ＭＬとの交点をＹ方向に通過する線を分割線ＤＬとして識別する。あるいは、領域分割操作時のタッチ位置のスライド方向に沿った線と数値表示領域９１の上辺または下辺との交点をＹ方向に通過する線を分割線ＤＬとしてもよい。
【００３０】
図６に戻って、パネル制御部１２０は、数値表示領域９１の分割比率を求めるとき、数値表示領域９１の予め定められた位置をＹ方向に通過する線（Ｙ方向に沿って延びる線）を第１基準線Ｌ１に設定し、数値表示領域９１の第１基準線Ｌ１とＸ方向に対向する端辺（Ｙ方向に沿って延びる辺）を第２基準線Ｌ２に設定する。このとき、数値入力画面９０での数値入力範囲が正値から負値に跨らなければ、パネル制御部１２０は、数値表示領域９１のＸ方向に対向する両端辺（Ｙ方向に沿って延びる両端辺）のうち、一方側（右側）の端辺を第１基準線Ｌ１とし、他方側（左側）の端辺を第２基準線Ｌ２とする。そして、パネル制御部１２０は、第１基準線Ｌ１から第２基準線Ｌ２までの距離Ｄ１と第１基準線Ｌ１から分割線ＤＬまでの距離Ｄ２との比率を数値表示領域９１の分割比率として求める。ここで求められる数値表示領域９１の分割比率は本発明の「入力数値算出用の比率」に相当し、以下の説明では入力数値算出用の比率と称する。
【００３１】
パネル制御部１２０は、入力数値算出用の比率を求めると、入力数値算出用の比率に基づき入力数値を算出する。具体的には、パネル制御部１２０は、数値入力画面９０での数値入力範囲の最大値または最小値に入力数値算出用の比率を乗じた数値を入力数値として求める。そして、パネル制御部１２０は、求めた入力数値を表示部８２に表示させる。
【００３２】
ここで、パネル制御部１２０は、数値入力画面９０での入力範囲内の数値が正値だけの場合、数値入力範囲の最大値に入力数値算出用の比率を乗じた数値を入力数値として求める。一例として、図８に示すように、数値入力範囲が「１」〜「１００」である数値入力画面９０において、距離Ｄ１に対する距離Ｄ２の比率が０．６２となるように領域分割操作が行われたとする。この場合、数値入力範囲の最大値が「１００」であるので、パネル制御部１２０により求められる入力数値は「６２（＝１００×０．６２）」となる。これにより、表示部８２は、入力数値として「６２」を表示する。
【００３３】
また、パネル制御部１２０は、数値入力画面９０での入力範囲内の数値が負値だけの場合、数値入力範囲の最小値に入力数値算出用の比率を乗じた数値を入力数値として求める。一例として、図示しないが、数値入力範囲が「−１」〜「−１００」である数値入力画面９０において、距離Ｄ１に対する距離Ｄ２の比率が「０．６２」となるように領域分割操作が行われたとする。この場合、数値入力範囲の最小値が「−１００」であるので、パネル制御部１２０により求められる入力数値は「−６２（＝−１００×０．６２）」となる。なお、数値入力画面９０での入力範囲内の数値が負値だけの場合には、数値表示領域９１のＸ方向に対向する両端辺（Ｙ方向に沿って延びる両端辺）のうち、一方側（右側）の端辺を第２基準線Ｌ２とし、他方側（左側）の端辺を第１基準線Ｌ１としてもよい（数値入力画面９０での数値入力範囲内の数値が正値だけの場合に対して逆にしてもよい）。
【００３４】
さらに、場合によっては、数値入力画面９０での数値入力範囲が正値から負値に跨ることがある。この場合、パネル制御部１２０は、数値表示領域９１のＸ方向に対向する両端辺間の位置をＹ方向に通過する線を第１基準線Ｌ１に設定する。そして、パネル制御部１２０は、数値表示領域９１のうち第１基準線Ｌ１に対して第１方向の一方側で領域分割操作が行われていれば、数値表示領域９１の一方側の端辺を第２基準線Ｌ２として入力数値算出用の比率を求め、数値入力画面９０での数値入力範囲の最大の正値に入力数値算出用の比率を乗じた数値を入力数値として求める。一方で、パネル制御部１２０は、数値表示領域９１のうち一方側とは反対の他方側で領域分割操作が行われていれば、数値表示領域９１の他方側の端辺を第２基準線Ｌ２として入力数値算出用の比率を求め、数値入力画面９０での数値入力範囲の最小の負値に入力数値算出用の比率を乗じた数値を入力数値として求める。
【００３５】
一例として、図９に示すように、数値入力画面９０での数値入力範囲が「−５０」〜「５０」であったとする。この場合、パネル制御部１２０は、たとえば、数値表示領域９１のＸ方向に対向する両端辺間の中間位置をＹ方向に通過する線を第１基準線Ｌ１に設定する。そして、パネル制御部１２０は、数値表示領域９１のうち第１基準線Ｌ１に対して一方側（左側）で領域分割操作が行われた場合、数値表示領域９１の一方側の端辺を第２基準線Ｌ２として入力数値算出用の比率を求め、数値入力画面９０での数値入力範囲の最大の正値「５０」に入力数値算出用の比率を乗じた数値を入力数値として求める。一方で、パネル制御部１２０は、数値表示領域９１のうち第１基準線Ｌ１に対して他方側（右側）で領域分割操作が行われた場合、数値表示領域９１の他方側の端辺を第２基準線Ｌ２として入力数値算出用の比率を求め、数値入力画面９０での数値入力範囲の最小の負値「−５０」に入力数値算出用の比率を乗じた数値を入力数値として求める。
【００３６】
ところで、たとえば、数値入力範囲が「１」〜「１００」である数値入力画面９０（図４〜図８参照）において、数値表示領域９１の第２基準線Ｌ２とされる端辺に沿ってタッチ位置をスライドさせるタッチ操作を領域分割操作として行うと、第２基準線Ｌ２と分割線ＤＬとが重なる。すなわち、距離Ｄ１と距離Ｄ２との比率である入力数値算出用の比率が「１」となる。したがって、数値表示領域９１の第２基準線Ｌ２とされる端辺に沿ってタッチ位置をスライドさせることにより、最大値「１００（＝１００×１）」を入力することができる。
【００３７】
なお、数値入力範囲が「１」〜「１００」である数値入力画面９０において、数値表示領域９１の第１基準線Ｌ１とされる端辺に沿ってタッチ位置をスライドさせるタッチ操作を領域分割操作として行うと、第１基準線Ｌ１と分割線ＤＬとが重なり、パネル制御部１２０により求められる入力数値が数値入力範囲外の数値「０」となる。このような場合、パネル制御部１２０は、求めた入力数値を表示部８２に表示させない。また、この場合には、数値を入力できない旨を報知したり、再操作を促す旨を報知したりしてもよい。
【００３８】
（目盛の表示）
パネル制御部１２０は、タッチパネル部８３に対して領域分割操作を行った場合にどのような数値が入力されるかの目安となる目盛９２（図４〜図９参照）を表示部８２に表示させる。たとえば、目盛９２は、数値表示領域９１の上下辺のうち下辺に配される。あるいは、図示しないが、数値表示領域９１の上下辺のうち上辺に目盛９２を配してもよい。
【００３９】
表示部８２は、目盛９２を表示するとき、数値表示領域９１を予め定められた区切り位置で区切る。そして、表示部８２は、区切り位置をＹ方向に通過する線に沿って数値表示領域９１を分割するような領域分割操作が行われた場合に入力数値とされる数値を目盛９２として表示する。
【００４０】
たとえば、数値入力画面９０での数値入力範囲が「１」〜「１００」である場合には、特に限定されないが、図４〜図８に示すように、数値表示領域９１が等間隔に５つに区切られる（区切り位置が４箇所となる）。そして、この場合、４箇所の区切り位置にそれぞれ付される目盛９２としての数値は、一方側（左側）の区切り位置から順に、「８０」、「６０」、「４０」および「２０」となる。なお、数値表示領域９１の第１基準線Ｌ１とされる端辺の位置に目盛９２として数値「０」を付し、数値表示領域９１の第２基準線Ｌ２とされる端辺の位置に目盛９２として数値「１００」を付してもよい。
【００４１】
ここで、数値入力範囲が正値から負値に跨る場合（数値表示領域９１のＸ方向に対向する両端辺間の位置をＹ方向に通過する線が第１基準線Ｌ１とされる場合）、ユーザーからすると、どの位置を基準にして領域分割操作を行えばよいかが分からない。したがって、この場合には、図９に示すように、少なくとも第１基準線Ｌ１の位置（領域分割操作を行ったときに入力数値が「０」となる位置）に区切り位置を設定し、その区切り位置に目盛９２として数値「０」を付すのが好ましい。図９では、一例として、第１基準線Ｌ１の位置に加えて、領域分割操作を行ったときに入力数値が「２５」となる位置および「−２５」となる位置をそれぞれ区切り位置とした目盛９２を図示している。
【００４２】
（入力数値の微調整）
パネル制御部１２０は、タッチパネル部８３に対する領域分割操作を検知し、その領域分割操作を受けて求めた入力数値を表示部８２に表示させてから、所定時間（たとえば、数秒から十数秒）が経過するまで、現在表示中の入力数値を増減（微調整）するタッチ操作として予め定められた数値増減操作の受け付けをタッチパネル部８３に行わせる。たとえば、タッチパネル部８３は、領域分割操作を受け付けた後、所定時間が経過するまでに再度受け付けた領域分割操作を数値増減操作として受け付ける。
【００４３】
パネル制御部１２０は、数値増減操作の受け付けを所定時間が経過するまでタッチパネル部８３に行わせるとき、図１０に示すように、数値表示領域９１のＸ方向に対向する両端辺間の予め定められた位置をＹ方向に通過する線（Ｙ方向に沿って延びる線）を第３基準線Ｌ３に設定する。たとえば、数値増減操作の受け付け時には、数値表示領域９１のＸ方向に対応する両端辺間の中間位置をＹ方向に通過する線が第３基準線Ｌ３とされる。
【００４４】
このとき、タッチパネル部８３が数値増減操作を受け付けると（タッチパネル部８３が所定時間の経過前に領域分割操作を再度受け付けると）、パネル制御部１２０は、数値増減操作により分割された数値表示領域９１の分割線ＤＬを識別する。以下、数値増減操作により分割された数値表示領域９１の分割線ＤＬを分割線ＤＬＡと称する。
【００４５】
そして、数値表示領域９１のうち第３基準線Ｌ３に対してＸ方向の一方側（ここでは左側とする）で数値増減操作が行われた場合、パネル制御部１２０は、数値表示領域９１の一方側の端辺を第４基準線Ｌ４として、第３基準線Ｌ３から第４基準線Ｌ４までの距離Ｄ３と第３基準線Ｌ３から数値増減操作により分割された数値表示領域９１の分割線ＤＬＡまでの距離Ｄ４との比率を数値表示領域９１の分割比率として求める。ここで求められる数値表示領域９１の分割比率は本発明の「増減値算出用の比率」に相当し、以下の説明では増減値算出用の比率と称する。
【００４６】
その後、パネル制御部１２０は、増減値算出用の比率に基づき増減後の入力数値を算出する。具体的には、パネル制御部１２０は、所定増減値に増減値算出用の比率を乗じ、それによって得られた数値分だけ現在表示中の入力数値を増加させた数値を増減後の入力数値として求める。なお、所定増減値は、予め定められた数値であるが、数値入力画面９０での数値入力範囲に応じて変更可能である（たとえば、数値入力画面９０での数値入力範囲が大きいほど所定増減値を大きくしてもよい）。
【００４７】
一方で、数値表示領域９１のうち第３基準線Ｌ３に対してＸ方向の一方側とは反対の他方側（ここでは右側とする）で数値増減操作が行われた場合、パネル制御部１２０は、数値表示領域９１の他方側の端辺を第４基準線Ｌ４として、増減値算出用の比率を求める。その後、パネル制御部１２０は、所定増減値に増減値算出用の比率を乗じた数値分だけ現在表示中の入力数値を減少させた数値を増減後の入力数値として求める。
【００４８】
パネル制御部１２０は、増減後の入力数値を求めると、増減後の入力数値を表示部８２に表示させる。すなわち、表示部８２は、増減後の入力数値を現在表示中の入力数値に代えて新たに表示する。
【００４９】
たとえば、図１１に示すように、所定増減値が「１０」に設定される数値入力画面９０において、既に行われた領域分割操作により入力数値として「６２」が現在表示中であったとする。さらに、第３基準線Ｌ３の一方側で数値増減操作が行われ、そのときの距離Ｄ３に対する距離Ｄ４の比率が「０．３」であったとする。この場合、増減値算出用の比率は「０．３」となり、所定増減値「１０」に増減値算出用の比率「０．３」を乗じた数値は「３（＝１０×０．３）」となるので、パネル制御部１２０により求められる増減後の入力数値は「６５（＝６２＋３）」となる。したがって、表示部８２は、入力数値を「６２」から「６５」に切り替えて表示する。
【００５０】
また、パネル制御部１２０は、数値増減操作の受け付けをタッチパネル部８３に行わせるとき、タッチパネル部８３に対して数値増減操作を行った場合に現在表示中の入力数値がどれだけ増減するかの目安となる目盛９３（図１０〜図１１参照）を表示部８２に表示させる。たとえば、目盛９３は、数値表示領域９１の上下辺のうち下辺に配される。あるいは、図示しないが、数値表示領域９１の上下辺のうち上辺に目盛９３を配してもよい。
【００５１】
表示部８２は、目盛９３を表示するとき、数値表示領域９１を予め定められた区切り位置で区切る。そして、表示部８２は、区切り位置をＹ方向に通過する線に沿って数値表示領域９１を分割するような数値増減操作が行われた場合に現在表示中の入力数値がどれだけ増減するかを示す数値を目盛９３として表示する。
【００５２】
なお、領域分割操作により数値を入力した後、数値増減ボタンＮＢに対する操作によっても入力数値の微調整を行うこともできる。あるいは、数値増減操作により入力数値の微調整を行い、その後でさらに数値増減ボタンＮＢに対する操作によって入力数値の微調整を行うこともできる。
【００５３】
（数値入力を受け付けるときの制御の流れ）
以下に、図１２を参照して、数値入力画面９０において数値入力を受け付けるときの制御の流れについて説明する。なお、図１２のフローチャートのスタートは、パネル制御部１２０が表示部８２に画面を表示させたときである。
【００５４】
ステップＳ１において、パネル制御部１２０は、表示部８２に表示させた画面が数値入力画面９０であるか否かを判断する。その結果、表示画面が数値入力画面９０であれば、ステップＳ２に移行し、表示画面が数値入力画面９０でなければ、数値入力の受け付けを行わせない。なお、表示画面が数値入力画面９０である場合、その画面内の数値表示領域９１には、たとえば、数値入力範囲の最小値、数値入力範囲の最大値、デフォルト値、および、従前に入力された数値、などが入力数値として表示される。
【００５５】
ステップＳ２に移行すると、パネル制御部１２０は、タッチパネル部８３に対する領域分割操作の有無を判断する。その結果、領域分割操作が行われていれば、ステップＳ３に移行する。
【００５６】
ステップＳ３に移行すると、パネル制御部１２０は、入力数値算出用の比率に基づき入力数値を算出する。そして、ステップＳ４において、パネル制御部１２０は、入力数値算出用の比率に基づく入力数値を表示部８２に表示させる。
【００５７】
続いて、ステップＳ５において、パネル制御部１２０は、表示部８２に入力数値を表示させてから所定時間が経過したか否かを判断する。その結果、所定時間が経過していれば、ステップＳ２に移行し、所定時間が経過していなければ、ステップＳ６に移行する。ステップＳ６に移行すると、パネル制御部１２０は、タッチパネル部８３に対する数値増減操作の有無を判断する。その結果、数値増減操作が行われていれば、ステップＳ７に移行する。
【００５８】
ステップＳ７に移行すると、パネル制御部１２０は、増減値算出用の比率に基づき増減後の入力数値を算出する。そして、ステップＳ８において、パネル制御部１２０は、増減値算出用の比率に基づく増減後の入力数値を表示部８２に表示させる。その後、ステップＳ５に移行する。
【００５９】
また、ステップＳ６において、数値増減操作が行われていない場合には、ステップＳ９に移行する。ステップＳ９に移行すると、パネル制御部１２０は、タッチパネル部８３に対する確定操作の有無を判断する。なお、確定操作というのは、現在表示中の入力数値を確定するための操作であり、たとえば、数値入力画面９０内に配された確定ボタンＢ（図４〜図１１参照）をタップする操作である。パネル制御部１２０は、タッチパネル部８３に対する確定操作の有無を判断した結果、確定操作が行われていれば、数値入力の受け付けを終了させ、確定操作が行われていなければ、ステップＳ５に移行する。
【００６０】
なお、ステップＳ２において、領域分割操作が行われていない場合には、ステップＳ１０に移行する。ステップＳ１０に移行すると、パネル制御部１２０は、数値増減ボタンＮＢに対する操作が行われたか否かを判断する。その結果、数値増減ボタンＮＢに対する操作が行われていれば、ステップＳ１１に移行する。
【００６１】
ステップＳ１１に移行すると、パネル制御部１２０は、数値入力ボタンＢに対する操作に基づき、表示部８２に表示させる入力数値を増減する。そして、ステップＳ１２に移行する。なお、ステップＳ１０において、数値増減ボタンＮＢに対する操作が行われていない場合にも、ステップＳ１２に移行する。ステップＳ１２に移行すると、パネル制御部１２０は、タッチパネル部８３に対する確定操作の有無を判断する。その結果、確定操作が行われていれば、数値入力の受け付けを終了させ、確定操作が行われていなければ、ステップＳ２に移行する。
【００６２】
本実施形態による複合機１００（画像形成装置）の操作パネル８（表示入力装置）は、上記したように、数値の入力を受け付けるための数値入力画面９０を表示するとともに、入力された数値である入力数値を数値入力画面９０内に表示する表示部８２と、表示部８２に対して設けられ、表示部８２の画面に対するタッチ操作を受け付けるタッチパネル部８３と、タッチパネル部８３の出力に基づきタッチパネル部が受け付けたタッチ操作を検知するパネル制御部１２０（制御部）と、を備える。そして、数値入力画面９０内の数値表示領域９１（所定領域）をＸ方向（第１方向）と直交するＹ方向（第２方向）に沿って分割するタッチ操作として予め定められた領域分割操作をタッチパネル部８３が受け付けたとき、パネル制御部１２０は、数値表示領域９１の予め定められた位置をＹ方向に通過する線を第１基準線Ｌ１とし、数値表示領域９１の第１基準線Ｌ１とＸ方向に対向する端辺を第２基準線Ｌ２として、第１基準線Ｌ１から第２基準線Ｌ２までの距離Ｄ１と第１基準線Ｌ１から領域分割操作により分割された数値表示領域９１の分割線ＤＬまでの距離Ｄ２との比率である入力数値算出用の比率を求めるとともに、数値入力画面９０での数値入力範囲の最大値または最小値に入力数値算出用の比率を乗じた数値を入力数値として求める。また、表示部８２は、パネル制御部１２０が求めた入力数値を数値入力画面９０内に表示する。
【００６３】
本実施形態の構成では、数値入力画面９０での数値入力範囲の最大値または最小値に入力数値算出用の比率（領域分割操作により分割された数値表示領域９１の分割線ＤＬの位置に基づき求められる比率）を乗じた数値が入力数値とされ、その入力数値が数値入力画面９０内に表示される。したがって、第１基準線Ｌ１から第２基準線Ｌ２までの距離Ｄ１に対する第１基準線Ｌ１から数値表示領域９１の分割線ＤＬまでの距離Ｄ２の比率（入力数値算出用の比率）が数値入力画面９０での数値入力範囲の最大値または最小値に対する所望値（入力したい数値）の比率と一致するよう領域分割操作を行えば、１回の操作だけで、所望値を入力することが可能となる。これにより、数値入力時の操作が減るので、ユーザーの利便性が向上する。
【００６４】
また、本実施形態では、上記したように、タッチパネル部８３は、数値表示領域９１をＹ方向に沿って分割するようにタッチ位置をスライドさせるタッチ操作を領域分割操作として受け付ける。このように構成すれば、領域分割操作が直感的で分かり易くなる。
【００６５】
なお、数値表示領域９１をＹ方向に沿って分割するようにタッチ位置をスライドさせるタッチ操作を領域分割操作としてもよいが、数値表示領域９１を１回だけタップするタッチ操作を領域分割操作としてもよい。この場合、領域分割操作時のタップ位置をＹ方向に通過する線を数値表示領域９１の分割線ＤＬとすればよい。
【００６６】
また、本実施形態では、上記したように、領域分割操作を受け付けるための所定領域が数値表示領域９１とされている。このように構成すれば、領域分割操作を受け付ける所定領域を数値入力画面９０内に別途確保する必要がない。これにより、数値入力画面９０のレイアウトの自由度が増す。ただし、数値入力画面９０内の数値表示領域９１以外の領域で領域分割操作を受け付けるようにしてもよい。
【００６７】
また、本実施形態では、上記したように、表示部８２は、数値表示領域９１を予め定められた区切り位置で区切り、区切り位置をＹ方向に通過する線に沿って数値表示領域９１を分割するような領域分割操作が行われた場合に入力数値とされる数値を目盛９２として表示する。このように構成すれば、目盛９２を目安にして領域分割操作を行うことができるので、入力数値が所望値から大幅にかけ離れた数値にならない。
【００６８】
また、本実施形態では、上記したように、数値入力画面９０での数値入力範囲が正値から負値に跨らない場合、パネル制御部１２０は、数値表示領域９１のＸ方向に対向する両端辺のうち、一方側の端辺を第１基準線Ｌ１とし、一方側とは反対の他方側の端辺を第２基準線Ｌ２として、入力数値を求める。このように、数値表示領域９１のＸ方向の一方側の端辺および他方側の端辺のそれぞれが第１基準線Ｌ１および第２基準線Ｌ２となるよう構成すれば、数値表示領域９１のどの位置を基準にして領域分割操作を行えば良いかが分かり易くなる。
【００６９】
また、本実施形態では、上記したように、数値入力画面９０での数値入力範囲が正値から負値に跨る場合、パネル制御部１２０は、数値表示領域９１のＸ方向に対向する両端辺間の予め定められた位置をＹ方向に通過する線を第１基準線Ｌ１とし、数値表示領域９１のうち第１基準線Ｌ１に対してＸ方向の一方側で領域分割操作が行われた場合には、数値表示領域９１の一方側の端辺を第２基準線Ｌ２として入力数値算出用の比率を求めるとともに、数値入力画面９０での数値入力範囲の最大の正値に入力数値算出用の比率を乗じた数値を入力数値として求める。一方で、パネル制御部１２０は、数値表示領域９１のうち一方側とは反対の他方側で領域分割操作が行われた場合には、数値表示領域９１の他方側の端辺を第２基準線Ｌ２として入力数値算出用の比率を求めるとともに、数値入力画面９０での数値入力範囲の最小の負値に入力数値算出用の比率を乗じた数値を入力数値として求める。
【００７０】
このように構成すれば、数値入力画面９０での数値入力範囲が正値から負値に跨る場合であっても、１回の領域分割操作だけで、正値および負値のいずれかの数値を選択的に入力することができる。
【００７１】
また、本実施形態では、上記したように、タッチパネル部８３が領域分割操作を受け付け、表示部８２が入力数値を数値入力画面９０内に表示してから、所定時間が経過するまでにタッチパネル部８３が領域分割操作を再度受け付けたとき、タッチパネル部８３は、所定時間が経過するまでに再度受け付けた領域分割操作を数値増減操作として受け付ける。そして、パネル制御部１２０は、数値表示領域９１のＸ方向に対向する両端辺間の予め定められた位置をＹ方向に通過する線を第３基準線Ｌ３とし、数値表示領域９１のうち第３基準線Ｌ３に対してＸ方向の一方側で数値増減操作が行われた場合には、数値表示領域９１の一方側の端辺を第４基準線Ｌ４として、第３基準線Ｌ３から第４基準線Ｌ４までの距離Ｄ３と第３基準線Ｌ３から数値増減操作により分割された数値表示領域９１の分割線ＤＬＡまでの距離Ｄ４との比率である増減値算出用の比率を求めるとともに、所定増減値に増減値算出用の比率を乗じた数値分だけ現在表示中の入力数値を増加させた数値を増減後の入力数値として求める。一方で、パネル制御部１２０は、数値表示領域９１のうち一方側とは反対の他方側で数値増減操作が行われた場合には、数値表示領域９１の他方側の端辺を第４基準線Ｌ４として、増減値算出用の比率を求めるとともに、増減値算出用の比率を所定増減値に乗じた数値分だけ現在表示中の入力数値を減少させた数値を増減後の入力数値として求める。また、表示部８２は、パネル制御部１２０が求めた増減後の入力数値を現在表示中の入力数値に代えて新たに表示する。
【００７２】
このように構成すれば、所定時間が経過するまでに領域分割操作（数値増減操作）を再度行うだけで、入力数値を増減（微調整）することができる。すなわち、入力数値を微調整するときに、数値増減ボタンＮＢをタップして入力数値を増減させる、という操作を何回も行わなくてもよくなる。
【００７３】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００７４】
８  操作パネル（表示入力装置）
８２  表示部
８３  タッチパネル部
９０  数値入力画面
９１  数値表示領域（所定領域）
９２  目盛
１００  複合機（画像形成装置）
１２０  パネル制御部（制御部）
ＤＬ、ＤＬＡ  分割線
Ｌ１  第１基準線
Ｌ２  第２基準線
Ｌ３  第３基準線
Ｌ４  第４基準線
【図１】
0006035442.tif 000002
【図２】
0006035442.tif 000003
【図３】
0006035442.tif 000004
【図４】
0006035442.tif 000005
【図５】
0006035442.tif 000006
【図６】
0006035442.tif 000007
【図７】
0006035442.tif 000008
【図８】
0006035442.tif 000009
【図９】
0006035442.tif 000010
【図１０】
0006035442.tif 000011
【図１１】
0006035442.tif 000012
【図１２】
0006035442.tif 000013